(57)【要約】【課題】設定した原稿読み取り枚数よりも多く原稿がスタックされている場合、読み取りした原稿が所定枚数に達したとき、原稿の搬送を停止させ、このとき、搬送を停止した原稿の排除を簡単に行うことができる原稿読取装置を提供する。【解決手段】複合機１０は、原稿をスタックする原稿台１４と、原稿台１４から原稿を搬送経路内に送り込む分離ローラ１８と、分離ローラ１８にて送り込まれた原稿を読み取る読取部を備える。さらに、複合機１０は分離ローラ１８の駆動又は停止を許容する分離ローラクラッチを備えるとともに、枚数設定キーと、枚数設定キーにより、設定した原稿枚数を記憶する記憶部及び制御装置を備える。制御装置は、送り込まれた原稿枚数をカウントし、カウントした枚数が設定した枚数に達したとき、分離ローラ１８の駆動を停止させる。【選択図】        図２
2005136733.tif 000002
【特許請求の範囲】
【請求項１】
原稿をスタックするスタック部と、前記スタック部から原稿を搬送経路内に送り込む原稿送り込みローラと、同送り込みローラにて送り込まれた原稿を読み取る読取部を備えた原稿読取装置において、前記原稿送り込みローラの駆動又は停止を許容する許容手段と、読み取る原稿枚数を設定する設定手段と、送り込まれた原稿枚数をカウントするカウント手段と、前記カウントした枚数が前記設定手段が設定した枚数に達したとき、前記許容手段を制御して前記原稿送り込みローラの駆動を停止させる制御手段とを備えたことを特徴とする原稿読取装置。
【請求項２】
報知手段を備え、前記カウント手段がカウントした枚数が前記設定手段が設定した枚数に達したとき、前記制御手段は、前記報知手段を報知制御することを特徴とする請求項１に記載の原稿読取装置。
【請求項３】
前記カウント手段がカウントした枚数が前記設定手段が設定した枚数に達したときにおける前記制御手段の、前記許容手段に対する制御又は、前記報知手段に対する報知制御のいずれか一方の制御を選択的に無効化する無効化設定手段を備えたことを特徴とする請求項２に記載の原稿読取装置。
【発明の詳細な説明】
【技術分野】
【０００１】
本発明は、複写機、ファクシミリ及びスキャナーや、それらの複合機に設けられる原稿読取装置に関する。
【背景技術】
【０００２】
従来、原稿読取装置として、原稿読み取り枚数を該装置側の制御部に予め設定しておき、読み取りした原稿枚数をカウントして、そのカウント数がその指定した原稿読み取り枚数に達したとき、設定した原稿読み取り枚数よりも、スタックした実際の原稿枚数が多い場合、原稿の搬送を読取部の手前で停止させるようにしたものがある（特許文献１）。このことによって、操作者に継続して、原稿読み取りを行う場合には、スタートボタン等を押下することにより、原稿読み取りを継続させるようにしている。反対に、原稿を読み取る必要がない場合には、読取部の手前で停止させた原稿をカバーを開けて排除するようにしている。
【特許文献１】実開平９−２１６号公報
【発明の開示】
【発明が解決しようとする課題】
【０００３】
しかし、この装置では、原稿を読取部直前まで搬送させたとき停止させている。通常、読取部は装置の搬送経路の奥の方にあり、搬送経路は装置のカバーで覆われているため、読取部直前で停止された原稿を排除するためには前記カバーを開けて行う必要があり、使い勝手が悪い問題があった。
【０００４】
本発明の目的は、設定した原稿読み取り枚数よりも多く原稿がスタックされている場合、読み取りした原稿が所定枚数に達したとき、原稿の搬送を停止させ、このとき、搬送を停止した原稿の排除を簡単に行うことができる原稿読取装置を提供する。
【課題を解決するための手段】
【０００５】
上記問題点を解決するために、請求項１に記載の発明は、原稿をスタックするスタック部と、前記スタック部から原稿を搬送経路内に送り込む原稿送り込みローラと、同送り込みローラにて送り込まれた原稿を読み取る読取部を備えた原稿読取装置において、前記原稿送り込みローラの駆動又は停止を許容する許容手段と、読み取る原稿枚数を設定する設定手段と、送り込まれた原稿枚数をカウントするカウント手段と、前記カウントした枚数が前記設定手段が設定した枚数に達したとき、前記許容手段を制御して前記原稿送り込みローラの駆動を停止させる制御手段とを備えたことを特徴とする原稿読取装置を要旨とするものである。
【０００６】
請求項２の発明は、請求項１において、報知手段を備え、前記カウント手段がカウントした枚数が前記設定手段が設定した枚数に達したとき、前記制御手段は、前記報知手段を報知制御することを特徴とする。
【０００７】
請求項３の発明は、請求項２において、前記カウント手段がカウントした枚数が前記設定手段が設定した枚数に達したときにおける前記制御手段の、前記許容手段に対する制御又は、前記報知手段に対する報知制御のいずれか一方の制御を選択的に無効化する無効化設定手段を備えたことを特徴とする。
【発明の効果】
【０００８】
請求項１の発明によれば、送り込まれた原稿の枚数が前記設定手段が設定した枚数に達したとき、許容手段を制御して原稿送り込みローラの駆動を停止させるため、原稿を排除する場合には、搬送経路内に送り込まれていないスタックされた原稿を排除すればよい。このため、搬送経路を覆っているカバーを開ける必要がなくなり、原稿排除の使い勝手が向上する。
【０００９】
請求項２の発明によれば、報知手段にて原稿の排除が必要であることを報知することにより、残りの原稿をどうするのかを促すことができる。
請求項３の発明によれば、無効化選択手段にて制御手段の許容手段に対する制御を無効化すると、カウント手段がカウントした枚数が前記設定手段が設定した枚数に達したときに、強制的に、原稿をさらに搬送経路内に送り込むことができる。又、無効化選択手段にて制御手段の報知手段に対する報知制御を無効化すると、カウント手段がカウントした枚数が設定手段が設定した枚数に達したときに、報知手段による報知が無効化できる。
【発明を実施するための最良の形態】
【００１０】
（第１実施形態）
以下、本発明の画像形成装置を複写機能付きファクシミリ装置（以下、複合機という）に具体化した一実施形態を図１〜図４を参照して説明する。
【００１１】
図２に示すように、原稿読取装置としての複合機１０の上部には、原稿を連続的に搬送して表裏両面を読み取るために複数の原稿を連続的に搬送するための原稿給送部１１、静止画像を読み取るための原稿載置部１２、原稿読み取り機構を備えた原稿読取機構部１３が装設されている。また、複合機１０の下部には、それぞれ図示しない周知の記録紙供給部、記録部及び記録紙排出部が装設されている。
【００１２】
原稿給送部１１は、読取前の複数の原稿を、積層状態で載置するスタック部としての原稿台１４と、読取後の原稿を積層状態で載置する原稿排出台１５とを備えている。また、原稿給送部１１は、原稿台１４に載置された複数枚の原稿の前端が当接される開閉可能なシャッター１６と、閉鎖状態のシャッター１６に前端が当接された複数枚の原稿のうち一番上の原稿に当接して前方へ搬送するピックアップローラ１７とを備えている。さらに、原稿給送部１１は、ピックアップローラ１７によりシャッター１６を通過して搬送された原稿を１枚ずつ分離して前方へ送り込む分離ローラ１８及び分離パッド１８ａを備えている。本実施形態の搬送経路は、分離ローラ１８から、原稿排出台１５への原稿の排出口までが１つの経路となるように構成されている。分離ローラ１８は、原稿送り込みローラに相当する。
【００１３】
また、図１及び図２に示すように、原稿給送部１１は、搬送経路に沿って順にレジストローラ１９、第１給送ローラ２０、第２給送ローラ２１、表面読取用ローラ２２、第３給送ローラ２３、裏面読取用ローラ２４、第４給送ローラ２５を備えている。レジストローラ１９、第１給送ローラ２０、第２給送ローラ２１、第３給送ローラ２３及び第４給送ローラ２５は、それぞれアイドルローラ１９ａ，２０ａ，２１ａ，２３ａ，２５ａを備えている。各ローラ１７〜２５は、１つのステップモータ２６（図３に図示）に作動連結されている。分離ローラ１８及びレジストローラ１９は、それぞれ電磁式のクラッチ２７，２８（図３に図示）を介してステップモータ２６に作動連結されている。さらに、原稿給送部１１は、裏面読取用ローラ２４に対向配置された密着型イメージセンサ２９を備えている。密着型イメージセンサ２９は読取部に相当する。
【００１４】
図１に示すように、原稿給送部１１の原稿台１４には、原稿台１４上に載置された原稿の幅に基づいて副走査方向のサイズを検知するための原稿サイズ検知センサＤＬＳが設けられている。また、ピックアップローラ１７とシャッター１６との間には、シャッター１６に当接された原稿の有無を検知する原稿有無検知センサＤＳ１が設けられている。また、分離ローラ１８とレジストローラ１９との間における分離ローラ１８寄りには、搬送される原稿の位置を検知する第１原稿位置検知センサＤＳＳが設けられている。また、レジストローラ１９の近傍には、レジストローラ１９に原稿の前端が当接したことを検知するためのレジストセンサＤＲＳが設けられている。また、第１給送ローラ２０と第２給送ローラ２１との間における第２給送ローラ２１寄りには、原稿の位置を検知する第２原稿位置検知センサＤＳ２が設けられている。さらに、第３給送ローラ２３と裏面読取用ローラ２４との間には、原稿の位置を検知する第３原稿位置検知センサＤＳ３が設けられている。複合機１０の搬送経路カバーＫは、前記各ローラ、前記各種センサ、密着型イメージセンサ２９を覆うように配置されるとともに、複合機１０の上部ケースＵＫに対して着脱可能に設けられている。
【００１５】
図２に示すように、原稿載置部１２は、上面に原稿を載置するための透明な原稿載置板３０と、その原稿載置板３０上において開閉回動可能に配設された押え蓋３１とを備えている。そして、原稿給送部１１の原稿台１４及び原稿排出台１５は、この原稿載置部１２の押え蓋３１上に配設されている。
【００１６】
また、図１及び図２に示すように、読取部を構成する原稿読取機構部１３は、原稿給送部１１の表面読取用ローラ２２に対抗配置された透光板３２と、この透光板３２上を通過する原稿または原稿載置板３０上に載置された原稿に光を照射する光源３３とを備えている。また、原稿読取機構部１３は、原稿からの反射光の光路を変更する第１ミラー３４、第２ミラー３５及び第３ミラー３６と、光源３３及び第１〜第３ミラー３４〜３６を移動させるための図示しない周知の移動機構とを備えている。さらに、原稿読取機構部１３は、第３ミラー３６からの光を収束させる集光レンズ３７と、その集光レンズ３７を通して入射した光に基づき原稿の画像を読み取るとともに、その読み取った原稿の画像信号を出力する撮像素子（ＣＣＤ）３８とを備えている。
【００１７】
光源３３及び第１ミラー３４は、移動機構によって副走査方向に移動配置される第１キャリッジ３９に支持されている。第２及び第３ミラー３５，３６は、同じく副走査方向に移動配置される第２キャリッジ４０に支持されている。第１キャリッジ３９は、移動機構により第２キャリッジ４０の２倍の移動速度で移動される。そして、第１キャリッジ３９及び第２キャリッジ４０は、その移動範囲のほぼ中央に設定された待機位置Ｐ１から、透光板３２の真下に対向位置する読取位置Ｐ２とに移動配置される。また、原稿載置板３０の原稿給送部１１側における端部の真下に対向位置する位置Ｐ３と、原稿載置板３０の反対側における端部の真下に対抗位置する位置Ｐ４との間を移動される。
【００１８】
以上のように構成された原稿給送部１１と原稿読取機構部１３とは原稿自動読取装置（ＡＤＦ）を構成し、第１及び第２キャリッジ３９，４０を読取位置Ｐ２に配置した状態で、透光板３２上を通過する原稿を読み取る。また、原稿載置部１２と原稿読取機構部１３とはフラットベッドスキャナ（ＦＢＳ）を構成し、第１及び第２キャリッジ３９，４０を位置Ｐ３から位置Ｐ４まで移動させることにより、原稿載置板３０上に載置された原稿を読み取る。
【００１９】
次に、本実施形態の電気的構成について説明する。
図３に示すように、複合機１０は、各センサＤＬＳ，ＤＳ１，ＤＳＳ，ＤＲＳ，ＤＳ２，ＤＳ３と、原稿読み取り用のスタートボタン４１とから入力する各信号に基づいて、ステップモータ２６、分離ローラクラッチ２７、レジストローラクラッチ２８、密着型イメージセンサ２９及び撮像素子３８を制御する制御装置４２を備えている。また、ストップボタン４５から入力する信号により、制御装置４２は、ステップモータ２６を停止させる。制御装置４２は、ＭＰＵ、ＲＯＭ，ＲＡＭ等を備えると共に、原稿の副走査方向におけるサイズ等を記憶するための記憶部４３を備えている。また、制御装置４２は、原稿が分離ローラ１８から繰り込まれた原稿の枚数をカウントするようにされており、記憶部４３のカウント領域（図示しない）にそのカウント数を記憶する。制御装置４２は、制御手段及びカウント手段に相当し、分離ローラクラッチ２７は許容手段に相当する。
【００２０】
枚数設定キー５０は、原稿枚数を入力するためのテンキーからなる。枚数設定キー５０にて設定された原稿枚数データは、記憶部４３の原稿枚数設定領域（図示しない）に格納される。本実施形態では、枚数設定キー５０と、枚数設定キー５０により設定した原稿枚数を記憶する記憶部４３及び制御装置４２は設定手段を構成する。報知手段としての報知装置４４は、制御装置４２に電気的に接続されている。報知装置４４は、アラームや、ディスプレイからなり、制御装置４２の報知制御により、アラームであれば、鳴動させ、ディスプレイであれば、警告表示させる。
【００２１】
制御装置４２は、前記各種センサの検出信号に基づいて、原稿台１４上に載置された複数の原稿を一枚ずつ搬送経路に送り込み、搬送経路に沿って搬送している間に、撮像素子３８、密着型イメージセンサ２９にて原稿の表面及び裏面の読み取りを行なわせ、読み取りが行なわれた原稿を原稿排出台１５に順次排出する読取制御を実行する。
【００２２】
次に、複合機１０の処理動作について、図４及び図５に示すフローチャートを用いて説明する。なお、以下のＳはステップを表す。
図４は原稿繰り込み処理のフローチャートである。スタートボタン４１を押下すると、Ｓ１００において、原稿台１４上の原稿の有無の検出を、制御装置４２は原稿有無検知センサＤＳ１の検出信号に基づいて行う。原稿が無いと判定すると、このフローチャートを終了する。Ｓ１００において、原稿が有ると判定すると、Ｓ１１０において、ステップモータ２６をオフ（停止状態）からオン（運転状態）とし、Ｓ１２０において、原稿読取が終了したか否かを原稿読取終了フラグを参照して判定する。なお、後述するＳ１８０から、Ｓ１００を介してＳ１１０に移行してきた場合には、Ｓ１１０では、引き続き、ステップモータ２６をオン状態に継続する。なお、原稿読取終了フラグについては、図５の動作フローチャートにおいて後述する。この判定が「ＮＯ」の場合、Ｓ１９０にジャンプする。また、Ｓ１２０の判定が「ＹＥＳ」の場合、制御装置４２はレジストローラクラッチ２８をオフ（非係合状態）からオン（係合状態）にし、さらに、分離ローラクラッチ２７をオフからオンとする。
【００２３】
この処理により、原稿台１４上から一枚の原稿が搬送経路に送り込まれる（Ｓ１３０）。さらに、Ｓ１４０において、制御装置４２は、搬送経路内に送り込んだ原稿の後端を第１原稿位置検知センサＤＳＳが検出すると、カウント数をインクリメントする。このように、本実施形態では、このように原稿が読取終了毎に１枚ずつ、搬送経路内に送り込まれることになる。
【００２４】
次の原稿繰り込み処理のＳ１５０において、制御装置４２は、カウント数が設定原稿枚数に達しているか否かを判定する。設定原稿枚数は、スタートボタン４１を押下する以前において、枚数設定キー５０により、設定されていて、記憶部４３の原稿枚数設定領域に格納されている。制御装置４２はこの設定原稿枚数とカウント数とを比較して判定する。制御装置４２は、設定原稿枚数にカウント数が達していない場合には、Ｓ２００において、分離ローラクラッチ２７及びレジストローラクラッチ２８をオンからオフとし、Ｓ１２０に戻る。この処理により、分離ローラ１８及びレジストローラ１９は、停止する。
【００２５】
Ｓ１５０において、カウント数が設定原稿枚数に達している場合には、Ｓ１６０において、制御装置４２は、カウント数をリセットして、分離ローラクラッチ２７及びレジストローラクラッチ２８をオンからオフとする。この処理により、分離ローラ１８及びレジストローラ１９は停止する。続いて、Ｓ１７０において、制御装置４２は報知装置４４を報知制御する。制御装置４２の報知制御により、アラームであれば、鳴動することにより、ディスプレイであれば、警告表示により、原稿台１４にセットされた原稿が設定原稿枚数よりも多いことを報知する。  Ｓ１８０では、スタートボタン４１又はストップボタン４５のいずれかが押下されるか否かを判定する。スタートボタン４１が押下された場合には、スタートボタン４１から入力された信号に基づいて制御装置４２は、Ｓ１８０の判定を「ＹＥＳ」とし、Ｓ１００に戻る。また、ストップボタン４５が押下された場合、ストップボタン４５から入力された信号に基づいて制御装置４２は、Ｓ１８０の判定を「ＮＯ」とし、Ｓ１９０において、ステップモータ２６をオフ（停止状態）にして、このフローチャートを終了する。
【００２６】
図５は、制御装置４２が実行する原稿の読取処理のフローチャートである。この読取処理は、密着型イメージセンサ２９による裏面読取位置ＢＰ（図１に図示）、及び、撮像素子３８による表面読取位置ＦＰ（図１に図示）に原稿を搬送する制御処理である。
【００２７】
読取処理において、制御装置４２は、先ずＳ３００で、第２原稿位置検知センサＤＳ２により、搬送経路内を搬送されている原稿の前端を検知し、原稿の前端が表面読取位置ＦＰに達した時点から、撮像素子３８による原稿表面の読み取りを開始する。なお、Ｓ３００で、第２原稿位置検知センサＤＳ２により、搬送経路内を搬送されている原稿の前端を検知したとき、原稿読取終了フラグをリセットする。
【００２８】
次に、制御装置４２は、Ｓ３１０において、第３原稿位置検知センサＤＳ３により原稿の前端を検知し、原稿の前端が裏面読取位置ＢＰに達した時点から、密着型イメージセンサ２９による原稿裏面の読み取りを開始する。
【００２９】
次に、制御装置４２は、Ｓ３２０において、第２原稿位置検知センサＤＳ２により、原稿の後端を検知する。そして、Ｓ３２０で原稿の後端を検知したときには、次に、Ｓ３３０で、ステップモータ２６の駆動ステップ数を用いて、原稿の後端が表面読取位置ＦＰに達したか否かを判断する。制御装置４２は、Ｓ３３０で原稿の後端が表面読取位置ＦＰに達していたときには、次にＳ３４０で、撮像素子３８による原稿表面の読み取りを終了する。
【００３０】
Ｓ３４０で原稿表面の読み取りを終了した後、制御装置４２は、Ｓ３５０で、第３原稿位置検知センサＤＳ３により、搬送されている原稿の後端を検知し、原稿の後端が裏面読取位置ＢＰに達した時点で密着型イメージセンサ２９による原稿裏面の読み取りを終了する。この密着型イメージセンサ２９による原稿裏面の読み取りを終了をもって、本実施形態では原稿の読取終了としており、原稿読取終了フラグをセットする。図４におけるＳ１２０の読取終了の判定は、原稿読取終了フラグがセットされている場合に、「ＹＥＳ」と判定し、リセットされている場合には「ＮＯ」と判定する。以上の読取処理により、原稿の表面及び裏面の画像の読み取りが終了する。
【００３１】
上記のように、第１実施形態によれば、原稿台１４にスタックした原稿の枚数が設定原稿枚数よりも多い場合、報知装置４４にて、ユーザーに報知して、その旨を報知し、原稿台１４に残った原稿を繰り込むのか、どうかを促すことができる。そして、原稿を繰り込まない場合、次に撮像素子３８や、密着型イメージセンサ２９で読み込まれるべき原稿は、搬送経路内に繰り込まれていないため、原稿台１４上から、原稿を極めて簡単に排除することができる。
【００３２】
（第２実施形態）
次に、第２実施形態を図３、第６図を参照して説明する。第２実施形態のハード構成は、第１実施形態と略同じ構成であるため、第１実施形態と同一構成については同一符号を付し、異なるところを中心に説明する。図３に示すように第２実施形態では、第１実施形態の構成に対してさらに、一対の選択ボタン５１ａ，５１ｂを制御装置４２に接続しているところが、異なっている。
【００３３】
選択ボタン５１ａを押下すると、枚数設定キー５０により設定した設定原稿枚数よりも、原稿台１４にスタックした原稿の方が多い場合に、報知装置４４であるアラームにて報知し、原稿台１４の原稿をそのまま繰り込む制御モードが選択される。選択ボタン５１ｂを押下すると、枚数設定キー５０により設定した設定原稿枚数よりも、原稿台１４にスタックした原稿の方が多い場合に、原稿台１４の原稿を繰り込まずに、分離ローラクラッチ２７をオフして、分離ローラ１８を一旦停止した状態にするモードが設定される。選択ボタン５１ｂ，５１ｂは無効化設定手段に相当する。
【００３４】
図６は、第２実施形態の原稿繰り込み処理のフローチャートである。なお、第１実施形態の図４のフローチャートと同じ処理については同一ステップ符号を付してその説明を省略する。
【００３５】
第２実施形態では、Ｓ１５０において、「ＹＥＳ」と判定された場合、Ｓ１５５において、前記した２つのモードのうち、どちらのモードが設定されたか否かを判定する。原稿台１４の原稿を繰り込まずに、分離ローラクラッチ２７をオフして、分離ローラ１８を一旦停止した状態にするモードが設定されている場合には、制御装置４２は、Ｓ１６０、Ｓ１８０等の処理を行う。すなわち、第１実施形態と同様の処理を行う。又、報知装置４４であるアラームにて報知し、原稿台１４の原稿をそのまま繰り込む制御モードが設定されている場合には、Ｓ２１０において、制御装置４２は報知装置４４を報知制御する。制御装置４２の報知制御により、アラームを鳴動することにより、原稿台１４にセットされた原稿が設定原稿枚数よりも多いことを報知し、Ｓ１００に移行する。従って、この場合、第１実施形態と異なって、強制的（自動的）に、原稿台１４上の原稿は、搬送経路内に繰り込まれることになる。
【００３６】
なお、第２実施形態においても、図５の処理を行うが、第１実施形態で説明しているので、説明を省略する。
このように、第２実施形態では、ユーザーにより、上記した２つのモードを選択することができる。
【００３７】
なお、第１実施形態、第２実施形態は、原稿の両面を読み取るようにしたが、一面側のみを読み取る原稿読取装置に具体化してもよい。又、本発明を複合機ではなく、コピー機や、ファクシミリ装置に具体化してもよい。
【図面の簡単な説明】
【００３８】
【図１】第１実施形態の複合機における原稿給送部及び読取部を示す縦断面図。
【図２】複合機の上部を示す縦断面図。
【図３】複合機の電気的構成を示すブロック図。
【図４】第１実施形態制御装置４２が実行する原稿繰り込み処理のフローチャート。
【図５】同じく読取処理のフローチャート。
【図６】第２実施形態の制御装置４２の原稿繰り込み処理のフローチャート。
【符号の説明】
【００３９】
１０…複合機
１３…原稿読取機構部（読取部）
１４…原稿台（スタック部）
１８…分離ローラ（原稿送り込みローラ）
２７…分離ローラクラッチ（許容手段）
２９…密着型イメージセンサ（読取部）
４２…制御装置（制御手段）
４４…報知装置（報知手段）
５１ａ，５１ｂ…選択ボタン（無効化設定手段）
【図１】
2005136733.tif 000003
【図２】
2005136733.tif 000004
【図３】
2005136733.tif 000005
【図４】
2005136733.tif 000006
【図５】
2005136733.tif 000007
【図６】
2005136733.tif 000008